(57)【要約】【課題】綺麗な調光効果が得られる照明装置を提供する。【解決手段】反射面26の焦点ｘに位置する光源18から放出される光を、アイリスシャッタ38の開口部41内へ向けて集光する反射体19を形成する。反射体19の焦点ｘに対して光源18を移動させる光源移動機構20を設ける。アイリスシャッタ38の開口部41を通過した光の光量を調整するディミングシャッタ39を設ける。光源移動機構20による光源18の移動とディミングシャッタ39による光量の調整とを連動させる連動機構47を設ける。連動機構47は、光源移動機構20で光源18を反射体19の焦点ｘから移動させるときにディミングシャッタ39で光量を絞らせる。【選択図】図１
2011204654.tif 000002
【特許請求の範囲】
【請求項１】
光源と；
光源から放出される光が通過する開口部を有する投光像形成部と；
投光像形成部の開口部を通過した光を集光して投光するレンズと；
反射面を有し、この反射面の焦点に位置する光源から放出される光を投光像形成部の開口部内へ向けて集光するように形成された反射体と；
反射体の焦点に対して光源を移動させる光源移動機構と；
を具備していることを特徴とする照明装置。
【請求項２】
投光像形成部の開口部を通過した光の光量を調整する調光制御部と；
光源移動機構による光源の移動と調光制御部による光量の調整とを連動させ、光源移動機構で光源を反射体の焦点から移動させるときに調光制御部で光量を絞らせる連動機構と；
を具備していることを特徴とする請求項１記載の照明装置。
【発明の詳細な説明】
【技術分野】
【０００１】
本発明は、光源から放出される光をレンズで集光して投光する照明装置に関する。
【背景技術】
【０００２】
従来、例えば、スタジオや劇場等の演出空間で使用されるフォロースポットライト、ピンスポットライトおよびエリスポットライトなどと呼ばれるスポットライトは、光源、この光源から放出される光が通過するアパーチャを有するアパーチャ部、このアパーチャの近くに配置されて投光径を可変するアイリスシャッタ、アパーチャおよびアイリスシャッタを通過した光を集光して投光するレンズ等を備え、さらに、投光する光の明るさを可変する調光機能を備えている。
【０００３】
調光機能では、光源の明るさ自体を可変する場合もあるが、効率を重視して多く使用される放電ランプの場合、この放電ランプ自体による調光範囲が限られてしまうため、この場合には、複数枚のシャッタによって投光する光を遮って調光するディミングシャッタが用いられている。
【０００４】
ディミングシャッタは、レンズの前面に配置されたり（例えば、特許文献１参照。）、レンズ群の内部に配置することが理想的であるが、レンズの前面に配置するとその操作部がアイリスシャッタの操作部と離れてしまうために操作しにくく、レンズ群の内部に配置することは物理的に難しい。そのため、ディミングシャッタの操作部をアイリスシャッタの操作部の近くに配置して操作しやすくするためには、ディミングシャッタをアパーチャやアイリスシャッタの近くに配置する必要がある。
【先行技術文献】
【特許文献】
【０００５】
【特許文献１】特開平９−２６５８０２号公報（第３頁、図１）
【発明の概要】
【発明が解決しようとする課題】
【０００６】
しかしながら、ディミングシャッタがアパーチャやアイリスシャッタの近くに配置されると、調光を絞った際に、ディミングシャッタのシャッタの形状がレンズで投影されたり、モアレ現象やピンホール現象等の調光むらが生じやすくなり、綺麗な調光効果が得られない問題がある。
【０００７】
本発明は、このような点に鑑みなされたもので、綺麗な調光効果が得られる照明装置を提供することを目的とする。
【課題を解決するための手段】
【０００８】
請求項１記載の照明装置は、光源と；光源から放出される光が通過する開口部を有する投光像形成部と；投光像形成部の開口部を通過した光を集光して投光するレンズと；反射面を有し、この反射面の焦点に位置する光源から放出される光を投光像形成部の開口部内へ向けて集光するように形成された反射体と；反射体の焦点に対して光源を移動させる光源移動機構と；を具備しているものである。
【０００９】
本発明および以下の発明において、特に指定しない限り用語の定義および技術的意味は次による。
【００１０】
照明装置は、例えば、スポットライトであるが、レンズを用いて光を照射する他の照明装置でもよい。
【００１１】
光源は、例えば、放電ランプ、蛍光ランプ、ハロゲンランプ等の電球、ＬＥＤ素子やＥＬ素子等の半導体発光素子等のいずれでもよい。
【００１２】
投光像形成部は、例えば、アパーチャを有するアパーチャ部、複数枚のシャッタによって開口径を可変できるアイリスシャッタ、三角形などの投光像パターン形状を形成するコボ等のいずれでもよい。
【００１３】
レンズは、例えば、１つのレンズでもよいし、複数のレンズで構成してもよい。
【００１４】
反射体は、例えば、反射面の焦点に光源が位置する場合に、光源から放出される光を投光像形成部の開口部内へ向けて最も集光できるように形成することにより、反射面の焦点から光源がずれた場合には、投光像形成部の開口部内へ向けて集光される光が少なくなるように構成される。
【００１５】
光源移動機構は、例えば、光源を接続するソケットを支持し、反射体の焦点に対して光軸方向に移動させる。光源を移動させる方向は、光軸方向に限らず、他の方向でもよい。
【００１６】
請求項２記載の照明装置は、請求項１記載の照明装置において、投光像形成部の開口部を通過した光の光量を調整する調光制御部と；光源移動機構による光源の移動と調光制御部による光量の調整とを連動させ、光源移動機構で光源を反射体の焦点から移動させるときに調光制御部で光量を絞らせる連動機構と；を具備しているものである。
【００１７】
調光制御部は、例えば、複数枚のシャッタによって投光する光を遮って調光するディミングシャッタや、光透過量を可変するフィルタ等を用いることができる。
【００１８】
連動機構は、例えば、連動軸の回転により光源移動機構による光源の移動と調光制御部による光量の調整とを連動させる。光源移動機構および調光制御部を操作する操作部は、連動機構、光源移動機構および調光制御部のどこに設けてもよいが、例えば、投光像形成部の操作部等に近くて操作しやすい場所にあることが好ましい。
【発明の効果】
【００１９】
請求項１記載の照明装置によれば、反射体の焦点に対して光源を移動させることにより、投光像形成部の開口部を通過する光を可変することができるため、その投光像形成部の開口部を通過する光の通過量に応じて、綺麗な調光効果が得られる。
【００２０】
請求項２記載の照明装置によれば、請求項１記載の照明装置の効果に加えて、調光制御部を併用することにより、広い範囲で調光でき、また、連動機構で光源の移動と調光制御部による光量の調整とを連動させるため、調光制御部を操作する操作部の配置の自由度が高く、調光制御部を投光像形成部から離して配置しても連動機構を介して操作することが可能となり、調光制御部が投影されたり、調光むらが生じにくく、綺麗な調光効果が得られる。
【図面の簡単な説明】
【００２１】
【図１】本発明の一実施の形態を示す照明装置の光源が反射体の焦点に位置する場合の説明図である。
【図２】同上照明装置の光源が反射体の焦点に位置しない場合の説明図である。
【図３】同上照明装置の側面から見た断面図である。
【図４】同上照明装置の調光制御部の正面から見た断面図である。
【図５】同上調光制御部の構成を示す正面図である。
【図６】同上調光制御部の操作部を示す正面から見た断面図である。
【発明を実施するための形態】
【００２２】
以下、本発明の一実施の形態を、図面を参照して説明する。
【００２３】
図３に示すように、照明装置11は、スポットライトであり、光軸方向に沿って長い筒状の筐体12、この筐体の後部側に配置される光源部13、筐体12の前部側に配置されるレンズ部14、これら光源部13とレンズ部14との間の光路中に配置される調整部15、およびこの調整部15を操作する操作部16を備えている。
【００２４】
そして、光源部13は、光源18、この光源18の光を前方へ向けて反射させる反射体19、および光源18を光軸方向に移動させる光源移動機構20を備えている。
【００２５】
光源18は、例えばキセノンランプ等の放電ランプであり、バルブ22内に発光部23が配置され、バルブ22の一端に口金24が設けられている。
【００２６】
反射体19は、前方へ向けて拡開するように彎曲されていて、光源18からの光を前方へ向けて反射させる反射面26が形成されている。反射面26は、焦点ｘを有し、この焦点ｘに光源18の発光部23が位置するときに最も投光効率がよくなるように設計されている。また、反射体19の頂部には、光源18が軸方向に移動可能に配置される挿通部27が形成されている。
【００２７】
光源移動機構20は、光源18の口金24が接続されるソケット29を支持した支持部30、光軸方向と平行に軸方向が配置されるねじ軸31、および支持部30に設けられねじ軸31に螺合された螺合部32を備えている。そして、ねじ軸31の一方向への回転により、ねじ軸31と螺合部32との螺合を介して光源18が後方の反射体19外へ向けて移動し、また、ねじ軸31の他方向への回転により、ねじ軸31と螺合部32との螺合を介して光源18が前方の反射体19内へ向けて移動するように構成されている。
【００２８】
また、レンズ部14は、光軸方向の前後に配置されるレンズ34，35を備え、これらレンズ34，35がそれぞれ光軸方向に沿って移動し、投光像の大きさやフォーカスを可変調整するように構成されている。
【００２９】
また、調整部15には、光源18側から順に、カッタ37、投光像形成部としてのアイリスシャッタ38、および調光制御部としてのディミングシャッタ39が光路上に配置されている。カッタ37とアイリスシャッタ38とは近い位置に配置されるが、ディミングシャッタ39はアイリスシャッタ38から大きく離反した位置に配置されている。
【００３０】
カッタ37は、光路を開放、閉鎖するシャッタを有している。
【００３１】
アイリスシャッタ38は、複数のシャッタを有し、これらシャッタによって光源18の光が通過するアパーチャでもある円形の開口部41が形成されているとともに、これらシャッタの可変移動によって開口部41の径を可変調整可能とする。この開口部41の径の可変調整によって投光像の径が可変調整される。
【００３２】
ディミングシャッタ39は、図４および図５に示すように、アイリスシャッタ38の開口部41を通過してレンズ35に入射する光が通過する開口部43を有し、この開口部43の周囲に複数のシャッタ44が配置されているとともに、これらシャッタ44が連結される環状の作動板45が配置されている。そして、作動板45の回動により、各シャッタ44が光路の中心に対して進退し、光路の開放、閉鎖を可能とし、これにより、通過する光の光量を調整可能としている。
【００３３】
また、筐体12内には、光源移動機構20による光源18の移動とディミングシャッタ39による光量の調整とを連動させる連動機構47が配置されている。この連動機構47は、連動軸48を有し、この連動軸48が、複数の軸受ブラケット49によって光軸方向と平行に配置されるとともに筐体12に対して回転可能に支持されている。連動軸48の後端にスプロケット50が固定され、ねじ軸31にスプロケット51が固定され、これらスプロケット50，51にチェーン52が掛け回され、連動軸48とねじ軸31とが連動して回転可能としている。なお、連動軸48およびねじ軸31にそれぞれギヤを固定し、これらギヤを噛合させて連動させてもよい。また、連動軸48の前端にギヤ53が固定され、ディミングシャッタ39の作動板45にギヤ53と噛合する歯部54が固定され、連動軸48と作動板45とが連動して回転可能としている。
【００３４】
そして、連動軸48の一方向への回転により、反射体19の焦点ｘに対して光源18が後方へ向けて移動するとともに、ディミングシャッタ39のシャッタ44が光路の中心方向へ向けて移動し、また、連動軸48の他方向への回転により、反射体19の焦点ｘへ向けて光源18が移動するとともに、ディミングシャッタ39のシャッタ44が光路外へ向けて移動するように構成されている。
【００３５】
なお、調光を絞る場合、反射体19に対して光源18が後方へ向けて移動を開始するのと一緒に、ディミングシャッタ39のシャッタ44が光路内に進入を開始するようにしてもよいし、また、反射体19に対して光源18が後方へ向けて所定距離移動した後に、ディミングシャッタ39のシャッタ44が光路内に進入するように時間差が設けられていてもよい（この場合、調光を絞るのを解除するときには、ディミングシャッタ39のシャッタ44が光路外に所定距離移動した後に、反射体19の焦点ｘへ向けて光源18が移動する。）。
【００３６】
また、操作部16には、後部側から順に、カッタ37を操作するカッタ操作部としてのカッタ操作レバー56、ディミングシャッタ39を操作するディミングシャッタ操作部としてのディミングシャッタ操作レバー57、およびアイリスシャッタ38を操作するアイリスシャッタ操作部としてのアイリスシャッタ操作レバー58がそれぞれ配置されている。これら操作レバー56，57，58は、それぞれ、前後方向に近い位置に配置され、筐体12の周面から突出されて周方向に所定の角度範囲内で回動操作可能としている。
【００３７】
カッタ操作レバー56およびアイリスシャッタ操作レバー58は、それぞれ、カッタ37およびアイリスシャタ38に直接操作可能に連結部材59，60で連結されている。
【００３８】
ディミングシャッタ操作レバー57は、図３および図６に示すように、筐体12内に回動可能に支持されたリング61に連結部材62で連結され、このリング61の一部に歯部63が固定され、この歯部63に噛合するギヤ64が連動軸48に固定されている。これにより、ディミングシャッタ操作レバー57の回動操作により、リング61および歯部63が回転し、歯部63とギヤ64との噛合を介して連動軸48が回転する。
【００３９】
また、反射体19の反射面26の焦点ｘに光源18の発光部23が位置する場合に、反射面26で反射する光源18の光がアイリスシャッタ38の開口部41内に集光されるように、反射体19の反射面26の形状が設計されているとともに、光源18と反射体19とアイリスシャッタ38との位置関係が設定されている。
【００４０】
次に、照明装置11の動作について説明する。
【００４１】
図１に示す状態では、光源18の発光部23が反射体19の焦点ｘに位置し、連動機構47を介して、ディミングシャッタ39はシャッタ44が光路外に退避した開放状態にある。なお、カッタ37は開放状態にあるとし、図１および図２では図示を省略する
そのため、点灯する光源18の発光部23から放射される光のうち、前方へ向かう直接光の一部がアイリスシャッタ38の開口部41を通過し、反射体19へ向かう光が反射体19の反射面26で反射してアイリスシャッタ38の開口部41内に集光されて通過する。アイリスシャッタ38の開口部41を通過した光は、ディミングシャッタ39の開口部43を通過してレンズ35およびレンズ34に入射し、レンズ部34から前方へ投光される。
【００４２】
このとき、反射体19の反射面26で反射する光源18の光がアイリスシャッタ38の開口部41内に集光され、ディミングシャッタ39では光を遮らないため、投光する投光像は最も明るい１００％調光の状態にある。
【００４３】
一方、投光像を暗くする場合、つまり調光を絞る場合には、ディミングシャッタ操作レバー57を調光絞りに対応した一方向へ回動操作すると、図２に示すように、連動軸48が回転し、光源移動機構20を介して光源18が後方の反射体19外へ向けて移動し、光源18の発光部23が反射体19の焦点ｘより後方へずれていく。これにより、反射体19の反射面26で反射した光源18の光が、アイリスシャッタ38の開口部41内に集光されなくなり、開口部41の周囲のアイリスシャッタ38によって遮られる。そのため、アイリスシャッタ38の開口部41を通過する光の光量が減少し、投光像が暗くなり、調光が絞られる。
【００４４】
このように、反射体19の焦点ｘに対して光源18を移動させることにより、アイリスシャッタ38の開口部41を通過する光を可変することができるため、そのアイリスシャッタ38の開口部41を通過する光の通過量に応じて、調光むら等のない、綺麗な調光効果が得られる。
【００４５】
また、ディミングシャッタ操作レバー57を調光絞りに対応した一方向へ回動操作することにより、連動軸48を介してディミングシャッタ39の作動板45が回転し、複数のシャッタ44が光路内に侵入して光を遮るため、投光像が暗くなり、調光が絞られる。
【００４６】
ディミングシャッタ操作レバー57を調光絞りに対応した一方向へ最も回動操作することにより、複数のシャッタ44が互いに組み合わさって光路を完全に遮蔽するため、投光像が投光されない０％調光となる。
【００４７】
したがって、光源18の移動のみでは０％調光ができなくても、ディミングシャッタ39を併用することにより、０〜１００％の広い範囲で調光ができる。
【００４８】
また、連動機構47で光源18の移動とディミングシャッタ39による光量の調整とを連動させるため、ディミングシャッタ39を操作するディミングシャッタ操作レバー57の配置の自由度が高く、ディミングシャッタ39をアイリスシャッタ38から離して配置しても連動機構47を介して操作することができる。
【００４９】
そのため、ディミングシャッタ39をアイリスシャッタ38から離して配置できるので、ディミングシャッタ39のシャッタ44の形状が投影されたり、モアレ現象やピンホール現象等の調光むらが生じにくく、綺麗な調光効果が得られる。
【００５０】
さらに、操作部16には、カッタ操作レバー56、ディミングシャッタ操作レバー57およびアイリスシャッタ操作レバー58を近付けて配置でき、操作性を向上できる。
【００５１】
なお、前記実施の形態では、光源18を反射体19の焦点ｘに対して移動させる構成とともに、ディミングシャッタ39も併用したが、０％および０％近くまでの調光が必要ない場合には、光源18を反射体19の焦点ｘに対して移動させる構成のみでもよい。
【００５２】
また、光源18を移動させるのではなく、反射体19を光源18の前方へ移動させる構造でもよい。
【００５３】
また、前記実施の形態では、光源18として放電ランプを用いたが、ハロゲンランプなどの電球でもよい。電球の場合、電圧制御によって調光可能であるものの、色温度が変化してしまうが、電圧制御せず、電球の発光部を反射体19の焦点ｘに対して移動させる構造やディミングシャッタ39も併用する構造を採用すると、色温度が変化することなく、調光できる。
【符号の説明】
【００５４】
11    照明装置
18    光源
19    反射体
20    光源移動機構
26    反射面
34，35    レンズ
38    投光像形成部としてのアイリスシャッタ
39    調光制御部としてのディミングシャッタ
41    開口部
47    連動機構
ｘ    焦点
【図１】
2011204654.tif 000003
【図２】
2011204654.tif 000004
【図３】
2011204654.tif 000005
【図４】
2011204654.tif 000006
【図５】
2011204654.tif 000007
【図６】
2011204654.tif 000008